(57)【要約】【課題】迅速かつ的確に敷設の作業ができ、建設費を抑えつつ水和熱の散逸及び外気の冷気の浸入を効果的に遮断することができる住宅基礎用コンクリート養生具を提供する。【解決手段】この住住宅基礎用コンクリート養生具１は、打設された住宅基礎用コンクリートの立ち上がり部を被覆するときその上面に相対する上面部と、立ち上がり部の第１の側面に相対する第１側面部と、第１側面部の下端から略垂直方向に延伸する第１フランジ部と、立ち上がり部の第２の側面に相対する第２側面部と、第２側面部の下端から略垂直方向に延伸する第２フランジ部と、を少なくとも有する立ち上がり部養生シート２を複数個備え、複数個の立ち上がり部養生シート２は、立ち上がり部の直線路状部分を被覆する直線路状部分養生シート２１と立ち上がり部のＬ字路状部分を被覆するＬ字路状部分養生シート２２を含む。【選択図】図３
0003226713.tif 000002
【実用新案登録請求の範囲】
【請求項１】
打設された住宅基礎用コンクリートの立ち上がり部を被覆するとき該立ち上がり部の上面に相対する上面部と、前記立ち上がり部を被覆するとき該立ち上がり部の第１の側面に相対する第１側面部と、前記立ち上がり部を被覆するとき該第１側面部の下端から略垂直方向に延伸する第１フランジ部と、前記立ち上がり部を被覆するとき該立ち上がり部の第２の側面に相対する第２側面部と、前記立ち上がり部を被覆するとき該第２側面部の下端から略垂直方向に延伸する第２フランジ部と、を少なくとも有する立ち上がり部養生シートを複数個備え、
該複数個の立ち上がり部養生シートは、前記立ち上がり部の直線路状部分を被覆する直線路状部分養生シートと前記立ち上がり部のＬ字路状部分を被覆するＬ字路状部分養生シートを含む断熱性の断熱シート層を有する構造の住宅基礎用コンクリート養生具。
【請求項２】
請求項１に記載の住宅基礎用コンクリート養生具において、
前記直線部分養生シートは、前記立ち上がり部の前記上面の前記直線路状部分の少なくとも片方の縁部に沿って位置させる縁部対応直線部を有している住宅基礎用コンクリート養生具。
【請求項３】
請求項１又は２に記載の住宅基礎用コンクリート養生具において、
前記Ｌ字路状部分養生シートは、前記第１側面部を形成する２個の平面部分が前記上面に連続し、かつ、互いに連続しており、前記第２側面部を形成する２個の平面部分が前記上面に連続し、かつ、互いに連続している住宅基礎用コンクリート養生具。
【請求項４】
請求項３に記載の住宅基礎用コンクリート養生具において、
前記Ｌ字路状部分養生シートは、前記第１フランジ部が１個であり、それが前記第１側面部の前記２個の平面部分の両方に連続しており、前記第２フランジ部が２個に分かれており、その各々が前記第２側面部の前記２個の平面部分の各々に連続しており、前記上面における２個の屈曲部を結ぶ線で折り曲げることによって折り畳み可能である住宅基礎用コンクリート養生具。
【請求項５】
請求項１〜４のいずれか１項に記載の住宅基礎用コンクリート養生具において、
前記複数個の立ち上がり部養生シートは、前記立ち上がり部のＴ字路状部分を被覆するＴ字路状部分養生シートを更に含み、
該Ｔ字路状部分養生シートは、前記立ち上がり部を被覆するとき該立ち上がり部の第３の側面に相対する第３側面部と、前記立ち上がり部を被覆するとき該第３側面部の下端から略垂直方向に延伸する第３フランジ部と、を更に有する住宅基礎用コンクリート養生具。
【請求項６】
請求項５に記載の住宅基礎用コンクリート養生具において、
前記Ｔ字路状部分養生シートは、前記第１側面部を形成する２個の平面部分が前記上面に連続し、かつ、互いに連続しており、前記第２側面部を形成する１個の平面部分が前記上面に連続しており、前記第３側面部を形成する２個の平面部分が前記上面に連続し、かつ、互いに連続している住宅基礎用コンクリート養生具。
【請求項７】
請求項６に記載の住宅基礎用コンクリート養生具において、
前記Ｔ字路状部分養生シートは、前記第１フランジ部が２個に分かれており、その各々が前記第１側面部の前記２個の平面部分の各々に連続しており、前記第２フランジ部が１個であり、それが前記第２側面部に連続しており、前記第３フランジ部が２個に分かれており、その各々が前記第３側面部の前記２個の平面部分の各々に連続しており、前記第１側面部の前記２個の平面部分のいずれかを折り曲げ、前記第３側面部の前記２個の平面部分のいずれかを折り曲げることによって折り畳み可能である住宅基礎用コンクリート養生具。
【請求項８】
請求項５〜７のいずれか１項に記載の住宅基礎用コンクリート養生具において、
前記複数個の立ち上がり部養生シートは、前記立ち上がり部の十字路状部分を被覆する十字路状部分養生シートを更に含み、
該十字路状部分養生シートは、前記立ち上がり部を被覆するとき該立ち上がり部の第３の側面に相対する第３側面部と、前記立ち上がり部を被覆するとき該第３側面部の下端から略垂直方向に延伸する第３フランジ部と、前記立ち上がり部を被覆するとき該立ち上がり部の第４の側面に相対する第４側面部と、前記立ち上がり部を被覆するとき該第４側面部の下端から略垂直方向に延伸する第４フランジ部と、を更に有する住宅基礎用コンクリート養生具。
【請求項９】
請求項８に記載の住宅基礎用コンクリート養生具において、
前記十字路状部分養生シートは、前記第１側面部を形成する２個の平面部分が前記上面に連続し、かつ、互いに連続しており、前記第２側面部を形成する２個の平面部分が前記上面に連続し、かつ、互いに連続しており、前記第３側面部を形成する２個の平面部分が前記上面に連続し、かつ、互いに連続しており、前記第４側面部を形成する２個の平面部分が前記上面に連続し、かつ、互いに連続している住宅基礎用コンクリート養生具。
【請求項１０】
請求項９に記載の住宅基礎用コンクリート養生具において、
前記十字路状部分養生シートは、前記第１フランジ部が２個に分かれており、その各々が前記第１側面部の前記２個の平面部分の各々に連続しており、前記第２フランジ部が２個に分かれており、その各々が前記第２側面部の前記２個の平面部分の各々に連続しており、前記第３フランジ部が２個に分かれており、その各々が前記第３側面部の前記２個の平面部分の各々に連続しており、前記第４フランジ部が２個に分かれており、その各々が前記第４側面部の前記２個の平面部分の各々に連続しており、前記第１側面部の前記２個の平面部分のいずれかを折り曲げ、前記第２側面部の前記２個の平面部分のいずれかを折り曲げ、前記第３側面部の前記２個の平面部分のいずれかを折り曲げ、前記第４側面部の前記２個の平面部分のいずれかを折り曲げることによって折り畳み可能である住宅基礎用コンクリート養生具。
【請求項１１】
請求項１〜１０のいずれか１項に記載の住宅基礎用コンクリート養生具において、
打設された住宅基礎用コンクリートの平面部を被覆するとき該平面部に相対する平面部養生シートを更に備える住宅基礎用コンクリート養生具。
【請求項１２】
請求項１〜１１のいずれか１項に記載の住宅基礎用コンクリート養生具において、
前記断熱シート層は、気泡シート層を有する住宅基礎用コンクリート養生具。
【請求項１３】
請求項１〜１２のいずれか１項に記載の住宅基礎用コンクリート養生具において、
該住宅基礎用コンクリート養生具は、打設された住宅基礎用コンクリートを被覆するとき前記断熱シート層よりも該住宅基礎用コンクリート側になる金属薄膜シート層を有する構造である住宅基礎用コンクリート養生具。
【請求項１４】
請求項１〜１３のいずれか１項に記載の住宅基礎用コンクリート養生具において、
該住宅基礎用コンクリート養生具は、打設された住宅基礎用コンクリートを被覆するとき前記断熱シート層よりも該住宅基礎用コンクリートの反対側になる布シート層を有する構造である住宅基礎用コンクリート養生具。
【請求項１５】
請求項１〜１４のいずれか１項に記載の住宅基礎用コンクリート養生具において、
該住宅基礎用コンクリート養生具は、縫い糸により形状が維持されている住宅基礎用コンクリート養生具。
【考案の詳細な説明】
【技術分野】
【０００１】
本考案は、住宅基礎用コンクリート養生具に関する。
【背景技術】
【０００２】
コンクリートを打設した後には、コンクリートの水和反応により発生する熱（水和熱）が散逸して水和反応が阻害されることのないよう、一定期間を硬化に必要な温度及び湿度に保つため、コンクリートをコンクリート養生シートで被覆して養生を行う必要がある。コンクリート養生シートは、典型的には、いわゆるブルーシートが用いられている。しかし、冬季などの寒中では、水和熱の散逸及び外気の冷気の浸入により、水和反応が遅くなって養生に時間がかかったり水和反応が不十分でコンクリートにクラックが生じたりすることも起こり得る。
【０００３】
そのため、従来より、養生のための様々な構成のものが提案されている。
【０００４】
例えば、特許文献１には、コンクリート側から順に、アルミシート、発泡材、繊維編み込みビニールシートを備えたコンクリート養生シートでコンクリート打ち込み後の建築物基礎全体を覆い、送風装置で所要の温度の空気を吹き込んで養生シートをドーム形に膨らませるようにした養生装置が開示されている。
【０００５】
特許文献２には、打設したコンクリートの表面に配設された型枠の表面に、気泡プラスチックシートの両面に金属薄膜層が一体に挟着してなる養生シートを被覆することによって、コンクリートの水和熱の放射を軽減して、かつ、外気の冷気を遮断することが開示されている。
【０００６】
特許文献３には、断熱効果を奏する気泡シートを有し、トンネル内周面などのコンクリート打設面に先に敷設された養生シートに形成された位置決めガイドと、これに隣接して後から敷設される養生シートに形成された位置決めガイドとが同一直線上に重なるように、後から敷設される養生シートの位置決めを行うことで、複数の養生シートをコンクリート打設面に敷設していく際に、その端縁側を精度よく的確に重ね合わせて敷設していくことができるコンクリート用養生シートが開示されている。
【先行技術文献】
【特許文献】
【０００７】
【特許文献１】特開２００１−２４７３８４号公報
【特許文献２】特開２０１３−１７４０４７号公報
【特許文献３】特開２０１４−３４８３５号公報
【考案の概要】
【考案が解決しようとする課題】
【０００８】
しかし、住宅の基礎は建設費を抑えつつ迅速かつ的確に敷設の作業ができるようにする必要がある。特許文献１では、送風装置を動作させなければならないため、建設費が高額になる。特許文献２は、敷設の作業を迅速かつ的確にする点については考慮されていない。特許文献３は、トンネル内周面などに適用されるが、複雑な住宅の基礎には適用し難い。
【０００９】
本考案は、係る事由に鑑みてなされたものであり、その目的は、迅速かつ的確に敷設の作業ができ、建設費を抑えつつ水和熱の散逸及び外気の冷気の浸入を効果的に遮断することができる住宅基礎用コンクリート養生具を提供することにある。
【課題を解決するための手段】
【００１０】
上記目的を達成するために、請求項１に記載の住宅基礎用コンクリート養生具は、断熱性の断熱シート層を有する構造であって、打設された住宅基礎用コンクリートの立ち上がり部を被覆するとき該立ち上がり部の上面に相対する上面部と、前記立ち上がり部を被覆するとき該立ち上がり部の第１の側面に相対する第１側面部と、前記立ち上がり部を被覆するとき該第１側面部の下端から略垂直方向に延伸する第１フランジ部と、前記立ち上がり部を被覆するとき該立ち上がり部の第２の側面に相対する第２側面部と、前記立ち上がり部を被覆するとき該第２側面部の下端から略垂直方向に延伸する第２フランジ部と、を少なくとも有する立ち上がり部養生シートを複数個備え、該複数個の立ち上がり部養生シートは、前記立ち上がり部の直線路状部分を被覆する直線路状部分養生シートと前記立ち上がり部のＬ字路状部分を被覆するＬ字路状部分養生シートを含む。
【００１１】
請求項２に記載の住宅基礎用コンクリート養生具は、請求項１に記載の住宅基礎用コンクリート養生具において、前記直線部分養生シートは、前記立ち上がり部の前記上面の前記直線路状部分の少なくとも片方の縁部に沿って位置させる縁部対応直線部を有している。
【００１２】
請求項３に記載の住宅基礎用コンクリート養生具は、請求項１又は２に記載の住宅基礎用コンクリート養生具において、前記Ｌ字路状部分養生シートは、前記第１側面部を形成する２個の平面部分が前記上面に連続し、かつ、互いに連続しており、前記第２側面部を形成する２個の平面部分が前記上面に連続し、かつ、互いに連続している。
【００１３】
請求項４に記載の住宅基礎用コンクリート養生具は、請求項３に記載の住宅基礎用コンクリート養生具において、前記Ｌ字路状部分養生シートは、前記第１フランジ部が１個であり、それが前記第１側面部の前記２個の平面部分の両方に連続しており、前記第２フランジ部が２個に分かれており、その各々が前記第２側面部の前記２個の平面部分の各々に連続しており、前記上面における２個の屈曲部を結ぶ線で折り曲げることによって折り畳み可能である。
【００１４】
請求項５に記載の住宅基礎用コンクリート養生具は、請求項１〜４のいずれか１項に記載の住宅基礎用コンクリート養生具において、前記複数個の立ち上がり部養生シートは、前記立ち上がり部のＴ字路状部分を被覆するＴ字路状部分養生シートを更に含み、該Ｔ字路状部分養生シートは、前記立ち上がり部を被覆するとき該立ち上がり部の第３の側面に相対する第３側面部と、前記立ち上がり部を被覆するとき該第３側面部の下端から略垂直方向に延伸する第３フランジ部と、を更に有する。
【００１５】
請求項６に記載の住宅基礎用コンクリート養生具は、請求項５に記載の住宅基礎用コンクリート養生具において、前記Ｔ字路状部分養生シートは、前記第１側面部を形成する２個の平面部分が前記上面に連続し、かつ、互いに連続しており、前記第２側面部を形成する１個の平面部分が前記上面に連続しており、前記第３側面部を形成する２個の平面部分が前記上面に連続し、かつ、互いに連続している。
【００１６】
請求項７に記載の住宅基礎用コンクリート養生具は、請求項６に記載の住宅基礎用コンクリート養生具において、前記Ｔ字路状部分養生シートは、前記第１フランジ部が２個に分かれており、その各々が前記第１側面部の前記２個の平面部分の各々に連続しており、前記第２フランジ部が１個であり、それが前記第２側面部に連続しており、前記第３フランジ部が２個に分かれており、その各々が前記第３側面部の前記２個の平面部分の各々に連続しており、前記第１側面部の前記２個の平面部分のいずれかを折り曲げ、前記第３側面部の前記２個の平面部分のいずれかを折り曲げることによって折り畳み可能である。
【００１７】
請求項８に記載の住宅基礎用コンクリート養生具は、請求項５〜７のいずれか１項に記載の住宅基礎用コンクリート養生具において、前記複数個の立ち上がり部養生シートは、前記立ち上がり部の十字路状部分を被覆する十字路状部分養生シートを更に含み、該十字路状部分養生シートは、前記立ち上がり部を被覆するとき該立ち上がり部の第３の側面に相対する第３側面部と、前記立ち上がり部を被覆するとき該第３側面部の下端から略垂直方向に延伸する第３フランジ部と、前記立ち上がり部を被覆するとき該立ち上がり部の第４の側面に相対する第４側面部と、前記立ち上がり部を被覆するとき該第４側面部の下端から略垂直方向に延伸する第４フランジ部と、を更に有する。
【００１８】
請求項９に記載の住宅基礎用コンクリート養生具は、請求項８に記載の住宅基礎用コンクリート養生具において、前記十字路状部分養生シートは、前記第１側面部を形成する２個の平面部分が前記上面に連続し、かつ、互いに連続しており、前記第２側面部を形成する２個の平面部分が前記上面に連続し、かつ、互いに連続しており、前記第３側面部を形成する２個の平面部分が前記上面に連続し、かつ、互いに連続しており、前記第４側面部を形成する２個の平面部分が前記上面に連続し、かつ、互いに連続している。
【００１９】
請求項１０に記載の住宅基礎用コンクリート養生具は、請求項９に記載の住宅基礎用コンクリート養生具において、前記十字路状部分養生シートは、前記第１フランジ部が２個に分かれており、その各々が前記第１側面部の前記２個の平面部分の各々に連続しており、前記第２フランジ部が２個に分かれており、その各々が前記第２側面部の前記２個の平面部分の各々に連続しており、前記第３フランジ部が２個に分かれており、その各々が前記第３側面部の前記２個の平面部分の各々に連続しており、前記第４フランジ部が２個に分かれており、その各々が前記第４側面部の前記２個の平面部分の各々に連続しており、前記第１側面部の前記２個の平面部分のいずれかを折り曲げ、前記第２側面部の前記２個の平面部分のいずれかを折り曲げ、前記第３側面部の前記２個の平面部分のいずれかを折り曲げ、前記第４側面部の前記２個の平面部分のいずれかを折り曲げることによって折り畳み可能である。
【００２０】
請求項１１に記載の住宅基礎用コンクリート養生具は、請求項１〜１０のいずれか１項に記載の住宅基礎用コンクリート養生具において、打設された住宅基礎用コンクリートの平面部を被覆するとき該平面部に相対する平面部養生シートを更に備える。
【００２１】
請求項１２に記載の住宅基礎用コンクリート養生具は、請求項１〜１１のいずれか１項に記載の住宅基礎用コンクリート養生具において、前記断熱シート層は、気泡シート層を有する。
【００２２】
請求項１３に記載の住宅基礎用コンクリート養生具は、請求項１〜１２のいずれか１項に記載の住宅基礎用コンクリート養生具において、該住宅基礎用コンクリート養生具は、打設された住宅基礎用コンクリートを被覆するとき前記断熱シート層よりも該住宅基礎用コンクリート側になる金属薄膜シート層を有する構造である。
【００２３】
請求項１４に記載の住宅基礎用コンクリート養生具は、請求項１〜１３のいずれか１項に記載の住宅基礎用コンクリート養生具において、該住宅基礎用コンクリート養生具は、打設された住宅基礎用コンクリートを被覆するとき前記断熱シート層よりも該住宅基礎用コンクリートの反対側になる布シート層を有する構造である。
【００２４】
請求項１５に記載の住宅基礎用コンクリート養生具は、請求項１〜１４のいずれか１項に記載の住宅基礎用コンクリート養生具において、該住宅基礎用コンクリート養生具は、縫い糸により形状が維持されている。
【考案の効果】
【００２５】
本考案の住宅基礎用コンクリート養生具によれば、迅速かつ的確に敷設の作業ができ、建設費を抑えつつ水和熱の散逸及び外気の冷気の浸入を効果的に遮断することができる。
【図面の簡単な説明】
【００２６】
【図１】本考案の実施形態に係る住宅基礎用コンクリート養生具に被覆される前の住宅基礎用コンクリートの状態の例を示す平面図である。
【図２】同上の住宅基礎用コンクリート養生具に被覆される前後の住宅基礎用コンクリートの状態の例を示す断面図（図１及び図３のＡ−Ａ線で示す切断面での断面図）であって、（ａ）が被覆される前、（ｂ）が被覆された後である。
【図３】同上の住宅基礎用コンクリート養生具に被覆された後の住宅基礎用コンクリートの状態の例を示す平面図である。
【図４】同上の住宅基礎用コンクリート養生具の立ち上がり部養生シートの直線路状部分養生シートを拡大して示すものであって、（ａ）が平面図、（ｂ）が底面図、（ｃ）が斜視図である。
【図５】同上の住宅基礎用コンクリート養生具の立ち上がり部養生シートの直線路状部分養生シートを展開した状態を拡大して示すものであって、（ａ）が平面図、（ｂ）が底面図、（ｃ）が斜視図である。
【図６】同上の住宅基礎用コンクリート養生具の立ち上がり部養生シートのＬ字路状形状シートを拡大して示すものであって、（ａ）が平面図、（ｂ）が底面図、（ｃ）が斜視図、（ｄ）が背後側から見た斜視図である。
【図７】同上の住宅基礎用コンクリート養生具の立ち上がり部養生シートのＬ字路状形状シートの最初に折り畳んだ状態を拡大して示すものであって、（ａ）が平面図、（ｂ）が底面図、（ｃ）が斜視図である。
【図８】同上の住宅基礎用コンクリート養生具の立ち上がり部養生シートのＴ字路状部分養生シートを拡大して示すものであって、（ａ）が平面図、（ｂ）が底面図、（ｃ）が斜視図である。
【図９】同上の住宅基礎用コンクリート養生具の立ち上がり部養生シートのＴ字路状部分養生シートの最初に折り畳んだ状態を拡大して示すものであって、（ａ）が平面図、（ｂ）が底面図、（ｃ）が斜視図である。
【図１０】同上の住宅基礎用コンクリート養生具の立ち上がり部養生シートの十字路状部分養生シートを拡大して示すものであって、（ａ）が平面図、（ｂ）が底面図、（ｃ）が斜視図である。
【図１１】同上の住宅基礎用コンクリート養生具の立ち上がり部養生シートの十字路状部分養生シートの最初に折り畳んだ状態を拡大して示すものであって、（ａ）が平面図、（ｂ）が底面図、（ｃ）が斜視図である。
【図１２】同上の住宅基礎用コンクリート養生具の構造を更に拡大して示す断面図である。
【考案を実施するための形態】
【００２７】
以下、本考案を実施するための形態を説明する。本考案の実施形態に係る住宅基礎用コンクリート養生具１は、断熱性の断熱シート層１ａ（後述する図１２参照）を有する構造であって、図１及び図２（ａ）に示すような打設された住宅基礎用コンクリートＣを被覆して養生するためのものである。住宅基礎用コンクリートＣは、立ち上がり部ＣＡと平面部ＣＢを有する。
【００２８】
立ち上がり部ＣＡは、その上に壁（家屋内と家屋外を隔てる壁又は家屋内の部屋間を隔てる壁）が設けられる。立ち上がり部ＣＡは、図２（ａ）に示すように、上面ＣＡａ、両側面（２個の側面）ＣＡｓ、ＣＡｓを有する。立ち上がり部ＣＡは、例えば、上面ＣＡａの幅を１５ｃｍ程度、両側面ＣＡｓ、ＣＡｓの高さを、家屋内では３６ｃｍ程度、家屋外の土地Ｇからでは４１ｃｍ程度とすることができる。
【００２９】
立ち上がり部ＣＡは、図１及び図２（ａ）に示すように、打設後に養生されるときには、その両側に基礎型枠ＣＣ、ＣＤが設けられ、それらの基礎型枠ＣＣ、ＣＤは、立ち上がり部ＣＡよりも上方（例えば、９ｃｍ程度上方）まで位置し、所々で留め具ＣＥによって互いに留められている。基礎型枠ＣＣ、ＣＤは、例えば、幅を４ｃｍ程度とすることができる。
【００３０】
立ち上がり部ＣＡは、図１に示すように、直線路状部分ＣＡ１、Ｌ字路状部分ＣＡ２、Ｔ字路状部分ＣＡ３、十字路状部分ＣＡ４を有するようにすることができる。直線路状部分ＣＡ１は、平面視で直線路の形状の部分であり、Ｌ字路状部分ＣＡ２は、平面視でＬ字路の形状の部分であり、Ｔ字路状部分ＣＡ３は、平面視でＴ字路の形状の部分であり、十字路状部分ＣＡ４は、平面視で十字路の形状の部分である。住宅によっては、Ｔ字路状部分ＣＡ３及び十字路状部分ＣＡ４がないもの、或いは、十字路状部分ＣＡ４がないものも有り得る。
【００３１】
住宅基礎用コンクリート養生具１は、図３に示すように、立ち上がり部ＣＡ用の立ち上がり部養生シート２を複数個備えている。立ち上がり部養生シート２は、図２（ｂ）に示すように、両側の基礎型枠ＣＣ、ＣＤ及び留め具ＣＥを介して立ち上がり部ＣＡを被覆し養生する。なお、図２（ｂ）（及び後述する図４（ｃ）、図５（ｃ）、図６（ｃ）、図６（ｄ）、図７（ｃ）、図８（ｃ）、図９（ｃ）、図１０（ｃ）、図１１（ｃ））では、住宅基礎用コンクリート養生具１（つまり、立ち上がり部養生シート２及び後述する平面部養生シート３）を構成するシートの厚みを図示の都合上、厚くして示している。
【００３２】
立ち上がり部養生シート２は、図２（ｂ）に示すように、立ち上がり部ＣＡを被覆するとき立ち上がり部ＣＡの上面ＣＡａに相対する上面部２ａと、立ち上がり部ＣＡを被覆するとき立ち上がり部ＣＡの両側面ＣＡｓ、ＣＡｓのうちの一つに相対する第１側面部２ｂと、立ち上がり部ＣＡを被覆するとき第１側面部２ｂの下端から略垂直方向に延伸する第１フランジ部２ｃと、立ち上がり部ＣＡを被覆するとき立ち上がり部ＣＡの両側面ＣＡｓ、ＣＡｓのうちのもう一つに相対する第２側面部２ｄと、立ち上がり部ＣＡを被覆するとき第２側面部２ｄの下端から略垂直方向に延伸する第２フランジ部２ｅと、を有する。第１及び第２フランジ部２ｃ、２ｅは、立ち上がり部ＣＡの下端からの住宅基礎用コンクリートＣの水和熱の散逸及び外気の冷気の浸入を効果的に遮断することができる。
【００３３】
立ち上がり部養生シート２の上面部２ａの幅は、立ち上がり部ＣＡの上面ＣＡａの幅に基礎型枠ＣＣ、ＣＤの幅を加えた値以上でその値の近傍にあり、例えば、３０ｃｍ程度とすることができる。第１側面部２ｂと第２側面部２ｄの高さは、立ち上がり部ＣＡの両側面ＣＡｓ、ＣＡｓよりも高く留め具ＣＥの高さの近傍にあり、例えば、４５ｃｍ程度とすることができる。フランジ部分２ｃ、２ｅは、その幅は適宜決められるが、例えば、立ち上がり部ＣＡの側面ＣＡｓから３０ｃｍ〜６０ｃｍ程度離れた位置まで延伸するようにすることができる。なお、フランジ部分２ｃが家屋内に延伸しフランジ部分２ｅが家屋外に延伸するものとすると、図２（ｂ）の左端側及び右端側に示すように、フランジ部分２ｅは、撓んで、家屋内外での立ち上がり部ＣＡの両側面ＣＡｓ、ＣＡｓの互いの高さの差を吸収することができる。
【００３４】
立ち上がり部養生シート２は、図３に示すように、具体的には、直線路状部分養生シート２１、Ｌ字路状部分養生シート２２、Ｔ字路状部分養生シート２３、及び十字路状部分養生シート２４を含むようにすることができる。直線路状部分養生シート２１は、立ち上がり部ＣＡの直線路状部分ＣＡ１を被覆するものである。Ｌ字路状部分養生シート２２は、立ち上がり部ＣＡのＬ字路状部分ＣＡ２を被覆するものである。Ｔ字路状部分養生シート２３は、立ち上がり部ＣＡのＴ字路状部分ＣＡ３を被覆するものである。十字路状部分養生シート２４は、立ち上がり部ＣＡの十字路状部分ＣＡ４を被覆するものである。
【００３５】
立ち上がり部養生シート２は、隣接する他の立ち上がり部養生シート２との間で、一部がオーバラップして配置される。図３では、オーバラップして隠れる方を破線で示している。図３では、Ｌ字路状部分養生シート２２と直線路状部分養生シート２１のオーバラップ部分においてはＬ字路状部分養生シート２２、Ｔ字路状部分養生シート２３と直線路状部分養生シート２１のオーバラップ部分においてはＴ字路状部分養生シート２３、十字路状部分養生シート２４と直線路状部分養生シート２１のオーバラップ部分においては十字路状部分養生シート２が隠れる方となっているが、どちらが上でどちらが下かは任意である。このオーバラップにより、隙間をなくし、その隙間からの住宅基礎用コンクリートＣの水和熱の散逸及び外気の冷気の浸入を効果的に遮断することができる。
【００３６】
直線路状部分養生シート２１は、それによって被覆される直線路状部分ＣＡ１の有する側面ＣＡｓが２個であるので、立ち上がり部ＣＡを被覆するとき第１の側面ＣＡｓに相対するのが第１側面部２ｂとなり、第２の側面ＣＡｓに相対するのが第２側面部２ｄとなる。
【００３７】
直線路状部分養生シート２１は、図４（ａ）、（ｂ）、（ｃ）に示すように、平面視で長方形の形状であり、その長さ（図４（ａ）、（ｂ）では左右方向の長さ）は種々のものがあり、図３に示すように、それらは各部屋のサイズ規格などに応じた長さのものとすることができる。直線路状部分養生シート２１は、図３に示すように、Ｌ字路状部分養生シート２２とＬ字路状部分養生シート２２の間、Ｌ字路状部分養生シート２２とＴ字路状部分養生シート２３の間、Ｔ字路状部分養生シート２３とＴ字路状部分養生シート２３の間、及び、Ｔ字路状部分養生シート２３と十字路状部分養生シート２４の間（及び、図３では示されないが、十字路状部分養生シート２４と十字路状部分養生シート２４の間）の各々で１個用いるようにできるが、複数個を一部がオーバラップするようにして配置させることも可能である。
【００３８】
直線路状部分養生シート２１は、好ましくは、立ち上がり部ＣＡの直線路状部分ＣＡ１の少なくとも片方の縁部に沿って位置させる縁部対応直線部２１ａ（図４（ａ）、（ｃ）及び後述する図５（ａ）、（ｃ）中において破線で示す）を有するようにする。縁部対応直線部２１ａは、少なくとも、平面視で見えるようにする。そうすると、迅速かつ容易に直線路状部分養生シート２１の敷設の作業ができる。
【００３９】
直線路状部分養生シート２１は、収納するときは、図５（ａ）、（ｂ）、（ｃ）に示すように平面状態に展開したうえで、更に折り畳むようにすることができる。なお、図５（ａ）、（ｂ）、（ｃ）（及び、後述する図７（ａ）、（ｂ）、（ｃ）、図９（ａ）、（ｂ）、（ｃ）、図１１（ａ）、（ｂ）、（ｃ））における一点鎖線は、立ち上がり部ＣＡを被覆するときの立体形状の辺となる線を示している。
【００４０】
Ｌ字路状部分養生シート２２は、それによって被覆されるＬ字路状部分ＣＡ２の有する側面ＣＡｓが２個であるので、立ち上がり部ＣＡを被覆するとき第１の側面ＣＡｓに相対するのが第１側面部２ｂとなり、第２の側面ＣＡｓに相対するのが第２側面部２ｄとなる。
【００４１】
Ｌ字路状部分養生シート２２は、図６（ａ）、（ｂ）、（ｃ）、（ｄ）に示すように、具体的には、第１側面部２ｂが２個の平面部分２ｂａ、２ｂｂにより形成され、第２側面部２ｄが２個の平面部分２ｄａ、２ｄｂにより形成されている。第１側面部２ｂを形成する２個の平面部分２ｂａ、２ｂｂは各々、平面視でＬ字路の形状をなす上面部２ａ（詳しくは、上面部２ａのＬ字路の内角側）に連続し、かつ、互いに連続しているようにできる。それにより、第１側面部２ｂと上面部２ａとの間で隙間をなくすことができ、かつ、第１側面部２ｂを形成する２個の平面部分２ｂａ、２ｂｂの間で隙間をなくすことができ、それらの隙間からの住宅基礎用コンクリートＣの水和熱の散逸及び外気の冷気の浸入を効果的に遮断することができる。また、第２側面部２ｄを形成する２個の平面部分２ｄａ、２ｄｂは各々、平面視でＬ字路の形状をなす上面部２ａ（詳しくは、上面部２ａのＬ字路の外角側）に連続し、かつ、互いに連続しているようにできる。それにより、第２側面部２ｄと上面部２ａとの間で隙間をなくすことができ、かつ、第２側面部２ｄを形成する２個の平面部分２ｄａ、２ｄｂの間で隙間をなくすことができ、それらの隙間からの住宅基礎用コンクリートＣの水和熱の散逸及び外気の冷気の浸入を効果的に遮断することができる。
【００４２】
Ｌ字路状部分養生シート２２は、折り畳み可能にすることができる。例えば、第１フランジ部２ｃが１個であり（２個に分かれておらず）、それが第１側面部２ｂの２個の平面部分２ｂａ、２ｂｂの両方に連続しており、第２フランジ部２ｅが２個に分かれており、その各々が第２側面部２ｄの２個の平面部分２ｄａ、２ｄｂの各々に連続しているようにする。そして、平面視でＬ字路の形状をなす上面部２ａにおける２個の屈曲部を結ぶ線及び第１フランジ部２ｃの対角線（図６（ａ）、（ｂ）、（ｃ）、（ｄ）中の一点鎖線で示す）で折り曲げて（平面視で山折りにして）図７（ａ）、（ｂ）、（ｃ）に示すように折り畳み、更にそれを折り畳むようにすることができる。
【００４３】
Ｔ字路状部分養生シート２３は、それによって被覆されるＴ字路状部分ＣＡ３の有する側面ＣＡｓが３個であるので、立ち上がり部ＣＡを被覆するとき第１の側面ＣＡｓに相対するのが第１側面部２ｂとなり、第２の側面ＣＡｓに相対するのが第２側面部２ｄとなり、第３の側面ＣＡｓに相対するのが第３側面部２ｆとなる。よって、Ｔ字路状部分養生シート２３は、図８（ａ）、（ｂ）、（ｃ）に示すように、上面部２ａ、第１側面部２ｂ、第１フランジ部２ｃ、第２側面部２ｄ、第２フランジ部２ｅ以外に、上記の第３側面部２ｆと第３フランジ部２ｇを更に有する。第３フランジ部２ｇは、立ち上がり部ＣＡを被覆するとき第３側面部２ｆの下端から略垂直方向に延伸する。第３フランジ部２ｇは、立ち上がり部ＣＡの下端からの住宅基礎用コンクリートＣの水和熱の散逸及び外気の冷気の浸入を効果的に遮断することができる。
【００４４】
Ｔ字路状部分養生シート２３は、具体的には、第１側面部２ｂが２個の平面部分２ｂａ、２ｂｂにより形成され、第２側面部２ｄが１個の平面部分により形成され、第３側面部２ｆが２個の平面部分２ｆａ、２ｆｂにより形成されている。第１側面部２ｂを形成する２個の平面部分２ｂａ、２ｂｂは各々、平面視でＴ字路の形状をなす上面部２ａ（詳しくは、上面部２ａのＴ字路の一つの内角側）に連続し、かつ、互いに連続しているようにできる。それにより、第１側面部２ｂと上面部２ａとの間で隙間をなくすことができ、かつ、第１側面部２ｂを形成する２個の平面部分２ｂａ、２ｂｂの間で隙間をなくすことができ、それらの隙間からの住宅基礎用コンクリートＣの水和熱の散逸及び外気の冷気の浸入を効果的に遮断することができる。また、第２側面部２ｄを形成する１個の平面部分は、平面視でＴ字路の形状をなす上面部２ａに連続しているようにできる。それにより、第２側面部２ｄと上面部２ａとの間で隙間をなくすことができ、その隙間からの住宅基礎用コンクリートＣの水和熱の散逸及び外気の冷気の浸入を効果的に遮断することができる。また、第３側面部２ｆを形成する２個の平面部分２ｆａ、２ｆｂは各々、平面視でＴ字路の形状をなす上面部２ａ（詳しくは、上面部２ａのＴ字路のもう一つの内角側）に連続し、かつ、互いに連続しているようにできる。それにより、第３側面部２ｆと上面部２ａとの間で隙間をなくすことができ、かつ、第３側面部２ｆを形成する２個の平面部分２ｆａ、２ｆｂの間で隙間をなくすことができ、それらの隙間からの住宅基礎用コンクリートＣの水和熱の散逸及び外気の冷気の浸入を効果的に遮断することができる。
【００４５】
Ｔ字路状部分養生シート２３は、折り畳み可能にすることができる。例えば、第１フランジ部２ｃが２個に分かれており、その各々が第１側面部２ｂの２個の平面部分２ｂａ、２ｂｂの各々に連続しており、第２フランジ部２ｅが１個であり、それが第２側面部２ｄに連続しており、第３フランジ部２ｇが２個に分かれており、その各々が第３側面部２ｆの２個の平面部分２ｆａ、２ｆｂの各々に連続しているようにする。第１フランジ部２ｃの分かれた２個の部分は一部が互いに重なり、第３フランジ部２ｇの分かれた２個の部分は一部が互いに重なっている。そして、第１側面部２ｂの２個の平面部分２ｂａ、２ｂｂのいずれか（図では平面部分２ｂａ）を折り曲げ（図では上方から見て谷折りにし）、第３側面部２ｆの２個の平面部分２ｆａ、２ｆｂのいずれか（図では平面部分２ｆａ）を折り曲げ（図では上方から見て谷折りにし）て図９（ａ）、（ｂ）、（ｃ）に示すように折り畳み、更にそれを折り畳むようにすることができる。なお、折り曲げる線は、図８（ａ）、（ｂ）、（ｃ）中の一点鎖線で示すように、第１側面部２ｂの２個の平面部分２ｂａ、２ｂｂと上面部２ａの三平面の交点から約４５度で延びる斜めの線、第３側面部２ｆの２個の平面部分２ｆａ、２ｆｂと上面部２ａの三平面の交点から約４５度で延びる斜めの線とすることができる。
【００４６】
十字路状部分養生シート２４は、それによって被覆される十字路状部分ＣＡ４の有する側面ＣＡｓが４個であるので、立ち上がり部ＣＡを被覆するとき第１の側面ＣＡｓに相対するのが第１側面部２ｂとなり、第２の側面ＣＡｓに相対するのが第２側面部２ｄとなり、第３の側面ＣＡｓに相対するのが第３側面部２ｆとなり、第４の側面ＣＡｓに相対するのが第４側面部２ｈとなる。よって、十字路状部分養生シート２４は、図１０（ａ）、（ｂ）、（ｃ）に示すように、上面部２ａ、第１側面部２ｂ、第１フランジ部２ｃ、第２側面部２ｄ、第２フランジ部２ｅ、第３側面部２ｆ、第３フランジ部２ｇ以外に、上記の第４側面部２ｈ、第４フランジ部２ｉを更に有する。第４フランジ部２ｉは、立ち上がり部ＣＡを被覆するとき第４側面部２ｈの下端から略垂直方向に延伸する。第４フランジ部２ｉは、立ち上がり部ＣＡの下端からの住宅基礎用コンクリートＣの水和熱の散逸及び外気の冷気の浸入を効果的に遮断することができる。
【００４７】
十字路状部分養生シート２４は、具体的には、第１側面部２ｂが２個の平面部分２ｂａ、２ｂｂにより形成され、第２側面部２ｄが２個の平面部分２ｄａ、２ｄｂにより形成され、第３側面部２ｆが２個の平面部分２ｆａ、２ｆｂにより形成され、第４側面部２ｈが２個の平面部分２ｈａ、２ｈｂにより形成されている。第１側面部２ｂを形成する２個の平面部分２ｂａ、２ｂｂは各々、平面視で十字路の形状をなす上面部２ａ（詳しくは、上面部２ａの十字路の一つ目の内角側）に連続し、かつ、互いに連続しているようにできる。それにより、第１側面部２ｂと上面部２ａとの間で隙間をなくすことができ、かつ、第１側面部２ｂを形成する２個の平面部分２ｂａ、２ｂｂの間で隙間をなくすことができ、それらの隙間からの住宅基礎用コンクリートＣの水和熱の散逸及び外気の冷気の浸入を効果的に遮断することができる。また、第２側面部２ｄを形成する２個の平面部分２ｄａ、２ｄｂは各々、平面視で十字路の形状をなす上面部２ａ（詳しくは、上面部２ａの十字路の二つ目の内角側）に連続し、かつ、互いに連続しているようにできる。それにより、第２側面部２ｄと上面部２ａとの間で隙間をなくすことができ、かつ、第２側面部２ｄを形成する２個の平面部分２ｄａ、２ｄｂの間で隙間をなくすことができ、それらの隙間からの住宅基礎用コンクリートＣの水和熱の散逸及び外気の冷気の浸入を効果的に遮断することができる。また、第３側面部２ｆを形成する２個の平面部分２ｆａ、２ｆｂは各々、平面視で十字路の形状をなす上面部２ａ（詳しくは、上面部２ａの十字路の三つ目の内角側）に連続し、かつ、互いに連続しているようにできる。それにより、第３側面部２ｆと上面部２ａとの間で隙間をなくすことができ、かつ、第３側面部２ｆを形成する２個の平面部分２ｆａ、２ｆｂの間で隙間をなくすことができ、それらの隙間からの住宅基礎用コンクリートＣの水和熱の散逸及び外気の冷気の浸入を効果的に遮断することができる。また、第４側面部２ｈを形成する２個の平面部分２ｈａ、２ｈｂは各々、平面視で十字路の形状をなす上面部２ａ（詳しくは、上面部２ａの十字路の四つ目の内角側）に連続し、かつ、互いに連続しているようにできる。それにより、第４側面部２ｈと上面部２ａとの間で隙間をなくすことができ、かつ、第４側面部２ｈを形成する２個の平面部分２ｈａ、２ｈｂの間で隙間をなくすことができ、それらの隙間からの住宅基礎用コンクリートＣの水和熱の散逸及び外気の冷気の浸入を効果的に遮断することができる。
【００４８】
十字路状部分養生シート２４は、折り畳み可能にすることができる。例えば、第１フランジ部２ｃが２個に分かれており、その各々が第１側面部２ｂの２個の平面部分２ｂａ、２ｂｂの各々に連続しており、第２フランジ部２ｅが２個に分かれており、その各々が第２側面部２ｄの２個の平面部分２ｄａ、２ｄｂの各々に連続しており、第３フランジ部２ｇが２個に分かれており、その各々が第３側面部２ｆの２個の平面部分２ｆａ、２ｆｂの各々に連続しており、第４フランジ部２ｉが２個に分かれており、その各々が第４側面部２ｈの２個の平面部分２ｈａ、２ｈｂの各々に連続しているようにする。第１フランジ部２ｃの分かれた２個の部分は一部が互いに重なり、第２フランジ部２ｅの分かれた２個の部分は一部が互いに重なり、第３フランジ部２ｇの分かれた２個の部分は一部が互いに重なり、第４フランジ部２ｉの分かれた２個の部分は一部が互いに重なっている。そして、第１側面部２ｂの２個の平面部分２ｂａ、２ｂｂのいずれか（図では平面部分２ｂａ）を折り曲げ（図では上方から見て谷折りにし）、第２側面部２ｄの２個の平面部分２ｄａ、２ｄｂのいずれか（図では平面部分２ｄａ）を折り曲げ（図では上方から見て谷折りにし）、第３側面部２ｆの２個の平面部分２ｆａ、２ｆｂのいずれか（図では平面部分２ｆａ）を折り曲げ（図では上方から見て谷折りにし）、第４側面部２ｈの２個の平面部分２ｈａ、２ｈｂのいずれか（図では平面部分２ｈａ）を折り曲げ（図では上方から見て谷折りにし）て図１１（ａ）、（ｂ）、（ｃ）に示すように折り畳み、更にそれを折り畳むようにすることができる。なお、折り曲げる箇所は、図１０（ａ）、（ｂ）、（ｃ）中に一点鎖線で示している。折り曲げる線は、図１０（ａ）、（ｂ）、（ｃ）中の一点鎖線で示すように、第１側面部２ｂの２個の平面部分２ｂａ、２ｂｂと上面部２ａの三平面の交点から約４５度で延びる斜めの線、第２側面部２ｄの２個の平面部分２ｄａ、２ｄｂと上面部２ａの三平面の交点から約４５度で延びる斜めの線、第３側面部２ｆの２個の平面部分２ｆａ、２ｆｂと上面部２ａの三平面の交点から約４５度で延びる斜めの線、第４側面部２ｈの２個の平面部分２ｈａ、２ｈｂと上面部２ａの三平面の交点から約４５度で延びる斜めの線とすることができる。
【００４９】
このように、住宅基礎用コンクリート養生具１の立ち上がり部養生シート２は、各フランジ部２ｃ、２ｅ、２ｇ、２ｉを設け、また、隙間をなくす構造により、住宅基礎用コンクリートＣの水和熱の散逸及び外気の冷気の浸入を効果的に遮断することができる。また、立ち上がり部養生シート２は、立ち上がり部ＣＡの各部分に対応する各養生シート２１〜２４を含むようにして、迅速かつ的確に被覆して敷設の作業をすることができる。
【００５０】
また、各養生シート２１〜２４は、上記のように、図５（ａ）、（ｂ）、（ｃ）、図７（ａ）、（ｂ）、（ｃ）、図９（ａ）、（ｂ）、（ｃ）、図１１（ａ）、（ｂ）、（ｃ）に示す状態から更に折り畳むと、それらはおおよそ同じくらいの大きさ（例えば、平面視で６０ｃｍ×６０ｃｍ程度）にそろえることができ、それらを棚等に整理して保管することができる。
【００５１】
各養生シート２１〜２４は、再使用が可能である。棚等に保管された各養生シート２１〜２４は、所要の数だけ選んで現地に運搬することができる。折り畳まれた各養生シート２１〜２４は、大きくなく、しかも軽量であるので運搬し易く、例えば、軽自動車による運搬が可能である。
【００５２】
各養生シート２１〜２４は、どのような住宅形状にも対応可能である。直線路状部分養生シート２１については、部屋のサイズ規格に応じた長さのものを複数種類用意しておくのがよい。
【００５３】
次に、住宅基礎用コンクリートＣの平面部ＣＢと住宅基礎用コンクリート養生具１の平面部養生シート３について説明する。住宅基礎用コンクリートＣの平面部ＣＢは、立ち上がり部ＣＡにより四方が囲まれており、その上が部屋となる。住宅基礎用コンクリート養生具１は、平面部ＣＢを被覆するときそれに相対する平面形状の平面部養生シート３を備えている。平面部養生シート３は、通常は複数個有るが、住宅の部屋が１個の場合は１個とすることができる。
【００５４】
平面部養生シート３は、部屋のサイズの規格などに合った大きさのものとすることができる。平面部養生シート３は、図３に示すように、各部屋につき１個用いるようにできるが、複数個を一部がオーバラップして配置させることも可能である。また、平面部養生シート３は、それへのコンクリートの部分的な付着を防止するため、その下側に、使い捨てできるようなポリエチレンシートなど安価なシートを敷くことも可能である。
【００５５】
平面部養生シート３は、立ち上がり部ＣＡの近傍にまで配置される。立ち上がり部ＣＡの近傍では、平面部養生シート３の端部は、立ち上がり部養生シート２の各フランジ部２ｃ、２ｅ、２ｇ、２ｉとオーバラップするように配置される。図３では、平面部養生シート３の端部（一点鎖線の部分）は、立ち上がり部養生シート２の下側に位置するようにしたものを示しているが、平面部養生シート３の端部を立ち上がり部養生シート２の上側に位置するようにすることも可能である。
【００５６】
このように、住宅基礎用コンクリート養生具１の平面部養生シート３は、立ち上がり部養生シート２と組み合わせることにより、住宅基礎用コンクリートＣを完全に被覆してその水和熱の散逸及び外気の冷気の浸入を効果的に遮断することができる。
【００５７】
次に、住宅基礎用コンクリート養生具１（つまり、立ち上がり部養生シート２及び平面部養生シート３）の構造について説明する。
【００５８】
住宅基礎用コンクリート養生具１は、図１２に示すように、上記のように、断熱性の断熱シート層１ａを有する構造である。断熱シート層１ａは、合成樹脂製（例えばポリエチレン樹脂製など）で多数の気泡を有する気泡シート層を有するようにすることができる。
【００５９】
また、住宅基礎用コンクリート養生具１は、住宅基礎用コンクリートＣを被覆するとき断熱シート層１ａよりも住宅基礎用コンクリートＣ側になる金属薄膜シート層１ｂを有する構造とすることができる。金属薄膜シート層１ｂは、アルミシートを用いることができる。
【００６０】
また、住宅基礎用コンクリート養生具１は、住宅基礎用コンクリートＣを被覆するとき断熱シート層１ａよりも住宅基礎用コンクリートＣの反対側になる布シート層１ｃを有する構造とすることができる。布シート層１ｃは、布製のものである。布シート層１ｃは、例えば、シレー加工したボスキー生地を用いることができ、本願出願人が行った実験（測定の紫外線波長域が２８０ｎｍ〜４００ｎｍ）によれば、測定上、１００％、紫外線を遮断することが可能である。よって、布シート層１ｃにより、断熱シート層１ａが補強されるとともに、断熱シート層１ａ（特に、合成樹脂製の気泡シート層を有するもの）が紫外線により変質し破損することの防止が可能になる。
【００６１】
住宅基礎用コンクリート養生具１は、縫い糸により形状が維持されているようにすることができる。縫い糸により断熱シート層１ａなど複数個の層を縫合することにより、住宅基礎用コンクリート養生具１は、使用時及び収納時の負荷に対して強固にすることができる。
【００６２】
次に、本願出願人が行った実験について述べる。１８時に気温１０℃のときに打設し、住宅基礎用コンクリートＣの立ち上がり部ＣＡの図２（ａ）に示すＰ点、Ｑ点、Ｒ点に湿度温度計を配置し、住宅基礎用コンクリート養生具１を敷設し、翌日９時に測定を行った。Ｐ点、Ｑ点、Ｒ点ではそれぞれ、湿度４８％温度２２．６℃、湿度８５％温度２２．６℃、湿度６５％温度２７．０℃であった。よって、外気温が低くても住宅基礎用コンクリート養生具１により、住宅基礎用コンクリートＣの水和熱の散逸及び外気の冷気の浸入を効果的に遮断することができている。
【００６３】
以上説明した住宅基礎用コンクリート養生具１は、住宅基礎用コンクリートＣの水和熱の散逸及び外気の冷気の浸入を効果的に遮断することができる。また、その他の装置を必要とはしないので、建設費を抑えることができる。また、迅速かつ的確に敷設の作業ができる。住宅基礎用コンクリート養生具１は、冬季などの寒中においては、養生に時間がかかったりコンクリートにクラックが生じたりすることを抑制することができるので、寒中に特に好適である。
【００６４】
以上、本考案の実施形態に係る住宅基礎用コンクリート養生具について説明したが、本考案は、上述の実施形態に記載したものに限られることなく、実用新案登録請求の範囲に記載した事項の範囲内でのさまざまな設計変更が可能である。
【符号の説明】
【００６５】
１      住宅基礎用コンクリート養生具
１ａ    断熱シート層
１ｂ    金属薄膜シート層
１ｃ    布シート層
２      立ち上がり部養生シート
２ａ    立ち上がり部養生シートの上面部
２ｂ    立ち上がり部養生シートの第１側面部
２ｂａ、２ｂｂ  立ち上がり部養生シートの第１側面部を形成する平面部分
２ｃ    立ち上がり部養生シートの第１フランジ部
２ｄ    立ち上がり部養生シートの第２側面部
２ｄａ、２ｄｂ  立ち上がり部養生シートの第２側面部を形成する平面部分
２ｅ    立ち上がり部養生シートの第２フランジ部
２ｆ    立ち上がり部養生シートの第３側面部
２ｆａ、２ｆｂ  立ち上がり部養生シートの第３側面部を形成する平面部分
２ｇ    立ち上がり部養生シートの第３フランジ部
２ｈ    立ち上がり部養生シートの第４側面部
２ｈａ、２ｈｂ  立ち上がり部養生シートの第４側面部を形成する平面部分
２ｉ    立ち上がり部養生シートの第４フランジ部
２１    直線路状部分養生シート
２２    Ｌ字路状部分養生シート
２３    Ｔ字路状部分養生シート
２４    十字路状部分養生シート
３      平面部養生シート
Ｃ      住宅基礎用コンクリート
ＣＡ    住宅基礎用コンクリートの立ち上がり部
ＣＡａ  住宅基礎用コンクリートの立ち上がり部の上面
ＣＡｓ  住宅基礎用コンクリートの立ち上がり部の側面
ＣＡ１  住宅基礎用コンクリートの立ち上がり部の直線路状部分
ＣＡ２  住宅基礎用コンクリートの立ち上がり部のＬ字路状部分
ＣＡ３  住宅基礎用コンクリートの立ち上がり部のＴ字路状部分
ＣＡ４  住宅基礎用コンクリートの立ち上がり部の十字路状部分
ＣＢ    住宅基礎用コンクリートの平面部
ＣＣ    一方の基礎型枠
ＣＤ    他方の基礎型枠
ＣＥ    留め具
Ｇ      家屋外の土地
【図１】
0003226713.tif 000003
【図２】
0003226713.tif 000004
【図３】
0003226713.tif 000005
【図４】
0003226713.tif 000006
【図５】
0003226713.tif 000007
【図６】
0003226713.tif 000008
【図７】
0003226713.tif 000009
【図８】
0003226713.tif 000010
【図９】
0003226713.tif 000011
【図１０】
0003226713.tif 000012
【図１１】
0003226713.tif 000013
【図１２】
0003226713.tif 000014